【事件の表示】
　平成１０年特許願第　５５９６９号「コーンビーム型Ｘ線ＣＴ装置」拒絶査定不服審判事件〔平成１１年　８月３１日出願公開、特開平１１−２３５３３３〕について、次のとおり審決する。
【結　論】
　本件審判の請求は、成り立たない。
【理　由】
第１　手続の経緯
　本願は，平成１０年２月２０日の出願であって，平成１９年９月２０日付けで拒絶査定がされ，これに対し，同年１０月２２日に拒絶査定不服審判の請求がされるとともに，同日付けで手続補正がされたものである。
　
第２　平成１９年１０月２２日付けの手続補正についての補正の却下の決定
　
　［補正却下の決定の結論］
　　平成１９年１０月２２日付けの手続補正を却下する。
　
　［理由］
１　補正後の本願発明
　平成１９年１０月２２日付けの手続補正（以下，「本件補正」という。）は，明細書の特許請求の範囲を補正するものであって，そのうち請求項１についてする補正は，補正前（平成１９年７月９日付け手続補正書。以下同様）の特許請求の範囲の
「【請求項１】コーン状のＸ線ビームを照射するＸ線発生手段と、該コーン状のＸ線ビームを受ける２次元Ｘ線検出手段と、これらＸ線発生手段と２次元Ｘ線検出手段とを回転させる回転手段と、上記２次元Ｘ線検出手段から得られる２次元データの、上記回転軸に直角な各位置に並ぶデータ列よりその各位置のスライスごとの断層像を再構成する画像再構成手段と、上記２次元Ｘ線検出手段から得られる２次元データの、所定回転角度のもののみを取り出して画像としてリアルタイムに表示する手段とを備えることを特徴とするコーンビーム型Ｘ線ＣＴ装置。」
を，
「【請求項１】 コーン状のＸ線ビームを照射するＸ線発生手段と、該コーン状のＸ線ビームを受ける２次元Ｘ線検出手段と、これらＸ線発生手段と２次元Ｘ線検出手段とを回転させる回転手段と、
前記回転手段により回転する
　
　上記補正は，補正前の請求項１に記載した発明を特定するために必要な事項である「画像再構成手段」について，「上記２次元Ｘ線検出手段から得られる２次元データの、上記回転軸に直角な各位置に並ぶデータ列よりその各位置のスライスごとの断層像を再構成する」とされていた「上記２次元Ｘ線検出手段」に，「
前記回転手段により回転する
　
　そこで，本願補正発明が特許出願の際独立して特許を受けることができるものであるか（平成１８年改正前の特許法第１７条の２第５項において準用する同法第１２６条第５項の規定に適合するか）について検討する。
　
２　引用例
（１）引用例１
　原査定の拒絶の理由に引用した，本願出願日前に頒布された刊行物である，特開平９−３２７４５３号公報（以下「引用例１」という。）には，図面とともに，次の事項が記載されている（下線は当審にて付加した）。
　
ア　「【００４０】（実施の形態１）図１は、本発明の実施の形態１のＸ線撮影装置の概略構成を示すブロック図であり、本実施の形態では、特に、
コーンビームＸ線ＣＴ装置
【００４１】図中において、
１はＸ線管（Ｘ線照射手段）
３はＸ線イメージインテンシファイア、４は光学レンズ系、５はテレビカメラ、６は回転板
１３は回転板駆動手段（回転手段）
１７は回転板角度計測手段、１８は画像収集処理手段（Ｘ線像合成手段、表示制御手段、再構成手段）、１９は画像表示手段（表示手段）
【００４２】図１中に示す点線は、
Ｘ線管１から円錐状に照射されるＸ線（Ｘ線ビーム、コーンビーム）
【００４３】本実施の形態１においては、錘８および錘移動用レール９は、回転板６の裏面上に配置されている。
【００４４】なお、前記各装置および機構は公知のものを用いる。
【００４５】図１において、
Ｘ線検出器（Ｘ線撮像手段、２次元Ｘ線撮像手段））はＸ線イメージインテンシファイア３、光学レンズ系４およびテレビカメラ５からなる
【００４６】また、
撮影系は前述するＸ線検出器およびＸ線管１、
回転板６からなる
【００４７】被検体１１は寝台天板７上に位置し、撮影体位は仰臥位を標準とする。また、被検体１１の撮りたい部位すなわち撮影対象は、撮影系の回転中心付近に設定する。
・・・
【００５５】実施の形態１においては、説明の都合上、Ｘ線管１の回転半径Ｄは７２０ｍｍ、回転板６の回転中心とＸ線検出器のＸ線入力面との距離ｄは３８０ｍｍ、Ｘ線検出器のＸ線入力面の直径ｗは３８０ｍｍとする。
【００５６】また、撮影系の回転周期は５秒である。
【００５７】さらには、テレビカメラ６は、撮影素子に高解像度撮像管を使用する周知のテレビカメラを用いる。
【００５８】撮影制御手段１２は、Ｘ線管１のＸ線発生とＸ線検出器の撮影動作を制御する撮影シーケンスを規定しており、たとえば、周知の情報処理装置で実行されるプログラムで実現される。
【００５９】また、撮影制御手段１２は、回転板６を回転させる回転シーケンス、Ｘ線管１のＸ線管移動用レール１０上での移動を制御する移動シーケンス、錘８の錘移動用レール９上での移動を制御する移動シーケンスをも規定する。
【００６０】
回転板角度計測手段１７は回転板６の回転角度データを出力する手段
【００６１】Ｘ線管位置計測手段１６は、Ｘ線管１のＸ線管移動用レール１０上の位置データを出力する手段であり、たとえば、Ｘ線管１を移動させる図示しないモータの回転に連動するポテンショメータによって計測する。
【００６２】次に、図１に基づいて、本実施の形態１のコーンビームＸ線ＣＴ装置の動作を説明すると、
Ｘ線管１から発生されたＸ線は被検体１１を透過し、Ｘ線グリッド２により散乱線が遮断され、Ｘ線イメージインテンシファイア３により可視光像に変換され、光学レンズ系４によってテレビカメラ５に結像される
【００６３】
テレビカメラ５は画像をビデオ信号に変換し、画像収集・処理手段１８に入力する
【００６４】次に、
画像収集処理手段１８は、ビデオ信号をＡ／Ｄ変換した後、回転板６の回転角度データ
と共に内部のフレームメモリにＡ／Ｄ変換後のＸ線画像を記憶し、各投影像に対して画像の幾何学的歪の補正と画像の濃度レベルのシェーディング補正とを行った後に３次元再構成を行う
【００６５】
画像表示手段１９は３次元再構成したＸ線ＣＴ像を表示する
【００６６】
テレビカメラ５により透視または撮影モードで得られた画像は、そのまま、または、前記補正を行った後に、リアルタイムで画像表示手段１９により表示することが可能であることは言うまでもない
　
イ　「【０１１４】図７は実施の形態１のＸ線撮影装置で透視または撮影された被検体のＸ線透過像の表示方式を説明するための図であり、図７（Ａ）は被検体１１とＸ線管１と検出面２０との関係を説明するための図であり、図７（Ｂ）は表示位置を補正する前の表示の一例を示す図であり、図７（Ｃ）は表示位置の補正後の表示の一例を示す図である。
【０１１５】図７において、７０は被検体の中心位置、７１は被検体の中心位置７０を通過するＸ線ビームの投影位置、７２はＸ線検出器の検出面２０上の中央位置、７３は表示上の中央位置、７４は表示部分、７５は表示画面を示す。
【０１１６】次に、図７に基づいて、実施の形態１のＸ線撮影装置で透視または撮影した被検体のＸ線透過像の表示方式を説明すると、Ｘ線管１は回転板６に対して移動するので、回転板６に固定されたＸ線検出器とＸ線管１との位置関係が変化する。
【０１１７】たとえば、図７（Ａ）に示すように、被検体１１を乗せた寝台天板７の位置は、被検体の中心位置７０がＸＹ平面の原点Ｏ、すなわち、回転板６の回転中心位置にくるように設定される。
【０１１８】このとき、Ｘ線管１から放射されて被検体の中心位置７０を通過するＸ線ビーム（点線で示す）は、Ｘ線検出器の検出面２０上の投影位置７１で検出される。また、このときの投影位置７１の検出面２０上の中央位置７２に対する位置は、ｄ・ｔａｎθである（ただし、ｄ・ｔａｎθはｄとｔａｎθの乗算を示す）。
【０１１９】ただし、このときの位置は、Ｘ線管１から見た検出面左側を正としている。
【０１２０】図７（Ａ）から明らかなように、被検体１１の中心位置７０の投影位置７１は、Ｘ線管１の回転板６に対する位置θに依存し、撮影の途中において、Ｘ線検出器の検出面２０上を移動する。
【０１２１】このため、一般にはＸ線検出器の検出面２０上の中央位置７２は、図７（Ｂ）に示される、表示画面７５の中央位置７３に固定されるため、被検体の中心７０の投影位置７１が表示画面７５上を左右に移動し、検者が観測しにくいという問題があった。
【０１２２】そこで本実施例では、図７（Ｃ）に示すように、被検体１１の中心位置７０の投影位置７１が前記の表示画面７５の中央位置７３に常に固定されるように、表示を行う。
【０１２３】具体的には、たとえば、メモリに格納された画像情報を検出面２０に対して−ｄ・ｔａｎθだけずらした位置で表示することでこれを実現することができる。
【０１２４】すなわち、画像収集処理手段１８が表示用の画像表示信号を生成するときに、前述するように表示する画像表示信号を生成するように構成することによって、図示しない作業者は、被検体１１の中心位置７０の投影位置７１を常に表示画面７５上の中央位置７３に固定したまま被検体１１のＸ線透視像または撮影像を観察することができる。
【０１２５】この場合、図７（Ｃ）に示すように、被検体１１のＸ線透視像または撮影像を示す表示部分７４が表示画面７５に対して左右に変動して表示されることから、表示画面７５として横長のものを用いることにより、表示画面７５内にて被検体１１のＸ線透視像または撮影像をその欠損が生じることなく全て表示することができることは言うまでもない。
・・・
【０１３０】前述する表示方式は、被検体１１のＸ線透視像または撮影像をＸ線検出器の視野範囲のみで表示するため、表示される画像は被検体１１の一部を表示するに留まるという欠点がある。
【０１３１】しかしながら、
被検体１１のＸ線透視像または撮影像を、撮影と同時にリアルタイムで観察することができる
　
ウ　「【０１３２】図８は実施の形態１のＸ線撮影装置において、同一のＸ線発生点において照射されたＸ線によって透視または撮影された２枚の被検体のＸ線透過像を１枚に合成する方法および合成によって得られた合成画像を説明するための図であり、図８（Ａ）は同一のＸ線発生点において照射されたＸ線によって透視または撮影された２枚の被検体のＸ線透過像を１枚に合成する方法を説明するための図であり、図８（Ｂ）は図８（Ａ）に示す画像合成によって得られた合成画像を説明するための図である。
【０１３３】前述する図７に示す表示方式においては、被検体１１のＸ線透視像または撮影像をＸ線検出器の視野範囲のみで表示するため、表示される画像は被検体１１の一部を表示するに留まっている。
【０１３４】一方、図８（Ａ）に示す表示方式においては、同一のＸ線管１の位置に対して、θおよび−θという異なる２方向に存在するＸ線検出器の位置における被検体１１のＸ線透視像または撮影像を得ることができる。
・・・
【０１４０】図８（Ｂ）に示すように、仮想検出面８０上で合成した被検体１１のＸ線透過像の表示が可能となる。ただし、図８（Ｂ）に示すＸ線透過像は、仮想検出面８０上の中央位置８１が、表示画面７５上の中央位置７１と一致するように表示を行っている。
【０１４１】したがって、被検体の中心位置７０は、前記の仮想検出面上の中央位置８１と常に一致するので、作業者は被検体の中心位置７０を表示画面７５上の中央位置７１に常に固定した状態で、
被検体１１のＸ線透視像または撮影像を観測することができる
【０１４２】次に、図８に示す
画像合成により得られた合成画像からＸ線ＣＴ像の再構成の方法
【０１４３】図８に示す仮想検出面８０上に投影された
被検体の合成画像は、実際のＸ線検出器の視野よりも広い視野もつ仮想検出器８０によって検出された被検体のＸ線透過像と考えることができる
【０１４４】
したがって、Ｘ線管１の被検体に対するあらゆる回転角方向について前記の合成画像を作成し、信号処理することで従来よりも広い視野を持つ被検体の３次元Ｘ線ＣＴ像を再構成することができる
【０１４５】次に、図９に実施の形態１のＸ線撮影装置の動作を説明するためのブロック図を示し、以下、図９に基づいて、その動作を説明すると、まず、テレビカメラ５により収集された被検体のビデオ信号はＡ／Ｄ変換器９０によってデジタル信号に変換された後、イメージメモリ９１に格納される。
【０１４６】イメージメモリ９１においては、Φ＝０、Φ＝ΔΦ、・・・、Φ＝２π−ΔΦは、Ｘ線管１のそれぞれの回転角Φにおいて収集されたＸ線像である画像情報（イメージデータ）を格納するメモリバンクを示す。
【０１４７】また、ΔΦはＸ線管１の回転ステップ角であり、撮影はＸ線管１のΔΦの回転ステップ毎に行われる。ΔΦの代表値は１．２５度である。
【０１４８】各Φにおいて、（１），（２）は、それぞれ撮影系の１回転目および２回転目において収集されるイメージデータを格納するメモリバンクを示す。
【０１４９】前述する図３に示す手順で撮影を行った場合、Ａ／Ｄ変換されたイメージデータは、撮影系の１回目の回転に対して、まず、Φ＝０（１）に格納され、続いて、Φ＝ΔΦ（１）、・・・、Φ＝２π−ΔΦ（１）の順番で格納される。
【０１５０】次に、撮影系の２回転目の回転に対して、まず、Φ＝０（２）に格納され、続いて、Φ＝２π−ΔΦ（２）、・・・、Φ＝ΔΦ（２）の順番で格納され、イメージデータの格納を終了する。
【０１５１】前述する順番でイメージデータのイメージメモリ９１への格納が全て終了した後、幾何学歪補正手段９２はそれぞれのΦにおける（１）および（２）のイメージデータを読み出して、Ｘ線検出器によって生じる画像の幾何学歪の補正をそれぞれの画像について行う。
【０１５２】なお、幾何学歪補正の方法としては、医用電子と生体光学誌、第３３回日本ＭＥ学会大会論文集（１９９４年）２２２頁に記載の方法が挙げられる。
【０１５３】また、幾何学歪補正を行われたイメージデータは、画像合成手段（Ｘ線像合成手段）９３により画像合成を行う。
【０１５４】ただし、画像合成は、前述する図８で示す手順に従って行う。
【０１５５】このとき、画像合成された合成画像は、それぞれ合成前の画像が格納されていたメモリバンクΦに上書きされ、再びイメージメモリ９１に格納される。
【０１５６】図９（Ｂ）は、図９（Ａ）において全てのメモリバンクΦに対して画像合成を行い、合成画像の格納を全て終了した状態を示す。
【０１５７】このとき、
それぞれのメモリバンクΦには、対応するＸ線管１の回転角Φにおいて得られる被検体の合成画像が格納されている
【０１５８】したがって、
透視画像または撮影画像を観察する場合、それぞれのメモリバンクに格納されるイメージデータを、直接、画像表示手段１９によって表示する
【０１５９】また、
前述する合成画像から、再構成処理手段（再構成手段）９４を用いて画像再構成することによって、視野角の大きい被検体のＸ線３次元ＣＴ像を得ることができる
【０１６０】なお、
再構成処理としては、前述するフェルドカンプの方法やグランギートの方法等をそのまま用いることができる
　
　以上の記載を総合すると，引用例１には，
「円錐状のＸ線（Ｘ線ビーム、コーンビーム）を照射するＸ線管（Ｘ線照射手段）と，
Ｘ線管１から発生されたＸ線を撮像するＸ線検出器（Ｘ線撮像手段、２次元Ｘ線撮像手段）と，
回転板６及び回転板駆動手段（回転手段）１３と，
画像収集処理手段（Ｘ線像合成手段、表示制御手段、再構成手段）１８と，
画像表示手段（表示手段）１９とを備え，
画像収集処理手段１８は、ビデオ信号をＡ／Ｄ変換した後、回転板６の回転角度データと共に内部のフレームメモリにＡ／Ｄ変換後のＸ線画像を記憶し、各投影像に対して画像の幾何学的歪の補正と画像の濃度レベルのシェーディング補正とを行った後に３次元再構成を行い，
画像表示手段１９は３次元再構成したＸ線ＣＴ像を表示し，
テレビカメラ５により透視または撮影モードで得られた画像は、そのまま、または、前記補正を行った後に、リアルタイムで画像表示手段１９により表示することができる，
コーンビームＸ線ＣＴ装置。」（以下，「引用発明」という。）が記載されているものと認められる。
　
（２）引用例２
　原査定の拒絶の理由に引用した，本願出願日前に頒布された刊行物である，特開平４−３４３８３６号公報（以下「引用例２」という。）には，図面とともに，次の事項が記載されている（下線は，当審にて付加した）。
　
ア　「【０００２】
【従来の技術】
Ｘ線ＣＴ装置
コーンビームを用いる方式
【０００３】コーンビームを用いる方式とは、図１３に示すように、１個のＸ線管１０からコーンビーム（実際は円錐でなく角錐であるが、一般的にコーンビームと称されている）１２を被検体（図示せず）に投影して得られた投影デ−タをイメ−ジ・インテンシファイア等の２次元Ｘ線検出器１４で収集する方式である。以下の説明の便宜上、図１４に示すように座標を決める。ここでは、スライス面をＸ−Ｙ座標平面により定義し、スライス厚方向をＺ軸と定義する。
【０００４】図１５に示すように、通常のスキャン方式におけるあるスライス位置（Ｚ方向のある位置ｚ）のある投影角度（Ｘ−Ｙ平面内のＹ軸を基準とした場合の回転角度θ）において収集した投影データをＰ（ｚ，θ）とする。通常のスキャン方式とは、スキャン位置を固定して３６０度の投影データを収集し、順次Ｚ方向にスキャン位置を移動して、次の３６０度の投影データを収集する方式である。従って、投影データＰ（ｚ，θ）は図１６に（１）、（２）、…で示すように各投影位置毎に０度から３６０度の順番で収集される。この場合、スキャン位置とスライス位置は同じであり、同一投影位置である縦１列の３６０度の投影データを用いて、その位置の画像を再構成する。
・・・
【０００７】次に、コーンビームを用いる通常のスキャン方式を説明する。通常のスキャン方式、およびヘリカルスキャン方式においては、全ての投影データはＺ軸に垂直であるが、コーンビームの場合は図１８に示すようにＺ軸方向に広がっている。そのため、投影データのスキャン位置ｚはＸ，Ｙ方向の位置により異なる。そこで、投影データのスキャン位置をＺ軸上（ｘ＝ｙ＝０）の位置で定義し、これをＰＣ（ｚ，θ）とする。図１８に示すように、コーンビームを用いると多数の投影データを同時に収集できる。また、通常のスキャン方式と同様に、３６０度の投影データを収集する間はスキャン位置を固定してある。したがって、投影データＰＣ（ｚ，θ）は図１９に示す順番で収集される。
【０００８】図１６、図１７、および図１９とも１投影データを１個の丸で示しているが、Ｚ軸方向に関する投影角度は同じではない。図１６、図１７の場合は、全ての投影データがＺ軸に垂直であるので、１８０度離れた投影角度の投影データは図２０（ａ）に示すように、お互いに対向する投影データになる。一方、コーンビームの場合は、スライス位置の中心では図２０（ａ）と同じであるが、中心から離れるにしたがって図２０（ｂ）に示すように、投影データが交差するようになる。この角度は中心からのずれに比例して大きくなる。
【０００９】したがって、コーンビームを用いたＸ線ＣＴ装置における再構成は数学的には非常に難しい問題になる。そのため、何等かの近似を行って再構成するが、中心から離れたスライスでは精度が悪くなる。
【００１０】
コーンビームを用いたＸ線ＣＴ装置の再構成の最も簡単な方法は
コーンビームの全ての投影データがＺ軸に垂直であると近似することである。これにより、通常のスキャンと同じく、コンボリューション・バックプロジェクション方式により画像を再構成することができる
【００１１】
別の近似再構成法としては文献１（L. A. Feldkamp, et. al: Practical conebeam algorithm, J. Opr. Soc. Am. A, 6, pp. 612-619, 1980 ）に記載された方法がよく知られている
　
３　対比
　本願補正発明と引用発明とを対比する。
　
（１）引用発明の「円錐状のＸ線（Ｘ線ビーム、コーンビーム）を照射するＸ線管（Ｘ線照射手段）」は，本願補正発明の「コーン状のＸ線ビームを照射するＸ線発生手段」に相当する。
（２）引用発明の「Ｘ線管１から発生されたＸ線を撮像するＸ線検出器（Ｘ線撮像手段、２次元Ｘ線撮像手段）」は，本願補正発明の「該コーン状のＸ線ビームを受ける２次元Ｘ線検出手段」に相当する。
（３）引用発明の「回転板６及び回転板駆動手段（回転手段）１３」は，Ｘ線検出器およびＸ線管１とともに撮影系をなすものである（摘記事項（１）ア【００４６】）から，本願補正発明の「Ｘ線発生手段と２次元Ｘ線検出手段とを回転させる回転手段」に相当する。
（４）引用発明の「画像収集処理手段（Ｘ線像合成手段、表示制御手段、再構成手段）１８」のうち，再構成を行う機能は，「ビデオ信号をＡ／Ｄ変換した後、回転板６の回転角度データと共に内部のフレームメモリにＡ／Ｄ変換後のＸ線画像を記憶し、各投影像に対して画像の幾何学的歪の補正と画像の濃度レベルのシェーディング補正とを行った後に３次元再構成を行」うものであるから，本願補正発明の「前記回転手段により回転する上記２次元Ｘ線検出手段から得られる２次元データの、上記回転軸に直角な各位置に並ぶデータ列よりその各位置のスライスごとの断層像を再構成する画像再構成手段」と，「前記回転手段により回転する上記２次元Ｘ線検出手段から得られる２次元データの断層像を再構成する画像再構成手段」である点で共通する。
（５）引用発明の「テレビカメラ５により透視または撮影モードで得られた画像は、そのまま、または、前記補正を行った後に、リアルタイムで画像表示手段１９により表示する」構成は，本願補正発明の「上記２次元Ｘ線検出手段から得られる２次元データの、所定回転角度のもののみを取り出して画像としてリアルタイムに表示する手段」と，「上記２次元Ｘ線検出手段から得られる２次元データを表示する手段」である点で共通する。
　
　そうすると，本願補正発明と引用発明とは，
「コーン状のＸ線ビームを照射するＸ線発生手段と、該コーン状のＸ線ビームを受ける２次元Ｘ線検出手段と、これらＸ線発生手段と２次元Ｘ線検出手段とを回転させる回転手段と、前記回転手段により回転する上記２次元Ｘ線検出手段から得られる２次元データの断層像を再構成する画像再構成手段と、上記２次元Ｘ線検出手段から得られる２次元データを表示する手段とを備えることを特徴とするコーンビーム型Ｘ線ＣＴ装置。」
である点で一致しており，次の点で相違する。
　
相違点１：画像再構成手段が再構成する断層像が，本願補正発明では「上記回転軸に直角な各位置に並ぶデータ列よりその各位置のスライスごと」であるのに対し，引用発明ではどのような断層像であるか明らかでない点。
　
相違点２：２次元Ｘ線検出手段から得られる２次元データを表示する手段が，本願補正発明では，２次元データの，「所定回転角度のもののみを取り出して画像としてリアルタイムに」表示するものであるのに対し，引用発明では，テレビカメラ５により透視または撮影モードで得られた画像についてリアルタイムで表示する点。
　
４　判断
　上記各相違点について判断する。
（１）相違点１について
　まず，引用例１に記載されたコーンビームＸ線ＣＴ装置は，Ｘ線管を移動させることで実際のＸ線検出器の視野よりも広い視野での画像を取得するという工夫を行っているものであるが，Ｘ線ＣＴ像の再構成については，Ｘ線管を移動させることによって得た広い視野の合成画像について，広い視野を持つ検出器によって検出された画像であるとして再構成処理を行うことで，Ｘ線ＣＴ像を得るとしているものであり（摘記事項（１）ウ【０１４２】−【０１４４】，【０１５９】−【０１６０】），上記のような工夫を行っていることにかかわらず，通常のコーンビームＸ線ＣＴ装置と異なる再構成処理を行うものではない。
　そして，引用例２には，コーンビームを用いたＸ線ＣＴ装置の再構成法について，最も簡単な方法として，コーンビームの全ての投影データがＺ軸に垂直であると近似することで，通常のスキャンと同じく，コンボリューション・バックプロジェクション方式により画像を再構成することが，別の近似再構成法であるフェルドカンプらの方法とともに，示されている（摘記事項（２）ア【００１０】−【００１１】）。
　そうすると，引用例１には，「再構成処理としては、前述するフェルドカンプの方法・・・をそのまま用いることができる」（摘記事項（１）ウ【０１６０】）と記載されていることから，引用発明において，コーンビームＸ線ＣＴ装置における画像再構成の方法として，フェルドカンプらの方法とともに従来知られている，引用例２に示された，コーンビームの全ての投影データがＺ軸に垂直であると近似することで，通常のスキャンと同じく，コンボリューション・バックプロジェクション方式により画像を再構成する方法を採用することは，当業者であれば容易に為し得たものである。そして，そのような再構成の方法は，コーンビームの全ての投影データがＺ軸に垂直であると近似しており，コンボリューション・バックプロジェクション方式により再構成しているのであるから，画像再構成手段が再構成する断層像については，本願補正発明と同様に，「回転軸に直角な各位置に並ぶデータ列よりその各位置のスライスごと」となるものである。
　
（２）相違点２について
　引用例１には，広い視野の合成画像について，「被検体１１のＸ線透視像または撮影像を観測することができる」こと（摘記事項（１）ウ【０１４１】），その合成画像から，Ｘ線ＣＴ像の再構成が行えること（摘記事項（１）ウ【０１４２】−【０１４４】）が記載され，また，「それぞれのメモリバンクΦには、対応するＸ線管１の回転角Φにおいて得られる被検体の合成画像が格納されて」おり，「透視画像または撮影画像を観察する場合、それぞれのメモリバンクに格納されるイメージデータを、直接、画像表示手段１９によって表示」し，「合成画像から、再構成処理手段（再構成手段）９４を用いて画像再構成することによって、視野角の大きい被検体のＸ線３次元ＣＴ像を得ることができる」こと（摘記事項（１）ウ【０１５７】−【０１５９】）が，記載されている。ここで，「透視像または撮影像」とは，「同一のＸ線発生点において照射されたＸ線によって透視または撮影された２枚の被検体のＸ線透過像を１枚に合成する方法および合成によって得られた合成画像」（摘記事項（１）ウ【０１３２】）とあるように，特定の方向から照射されたＸ線によって透視または撮影されたものとなる画像である。そして，上記の記載からすれば，合成画像について，画像再構成をするために用いられる合成画像から，特定の方向から照射されたＸ線による透視像または撮影像を表示することができることが，引用例１には示されていると言える。
　一方，引用例１には，上記のような画像合成をせずに，「被検体１１のＸ線透視像または撮影像を、撮影と同時にリアルタイムで観察することができる」ことが記載されている（摘記事項（１）イ【０１３１】）。当該記載は，「Ｘ線撮影装置で透視または撮影された被検体のＸ線透過像の表示方式」（摘記事項（１）イ【０１１４】）についてのものであるが，上記「（１）相違点１について」にて示したように，広い視野の合成画像についての再構成処理が，通常のコーンビームＸ線ＣＴ装置と異なる再構成処理を行うものではないことからして，上記リアルタイムで観察することができるような被検体１１のＸ線透視像または撮影像について，Ｘ線検出器及びＸ線管を回転させて再構成処理を行えるような像を得て，それらの像に対して再構成処理を行うことは，当業者であれば容易に為し得たものである。そして，そのような構成においては，リアルタイムで観察することができるような被検体１１のＸ線透視像または撮影像が，特定の方向から照射されたＸ線による透視像または撮影像となるものであり，所定回転角度のもののみを取り出してリアルタイムで表示されることとなるものである。
　
　そして，本願補正発明の作用効果は，引用発明及び引用例２に示された技術的事項から，当業者であれば予測できる範囲のものである。
　特に，請求人が平成１９年１０月２２日付け審判請求書において主張する「コーン状Ｘ線ビームで必要な領域をスキャンしているかどうかをスキャン中に確認することが可能となる」との効果は，上記「（２）相違点２について」にて示したように，再構成処理を行う像について，特定の方向から照射されたＸ線による透視像または撮影像が観察できることによって奏されるものである。
　
　以上の通り，本願補正発明は，引用発明及び引用例２に示された技術的事項に基づいて，当業者が容易に発明をすることができたものであるから，特許法第２９条第２項の規定により特許を受けることができない。
　
５　むすび
　上記のとおり，本件補正は，平成１８年改正前の特許法第１７条の２第５項において準用する同法第１２６条第５項の規定に違反するので、同法第１５９条第１項において読み替えて準用する同法第５３条第１項の規定により却下すべきものである。
　
第３　本願発明について
１　本願発明
　平成１９年１０月２２日付けの手続補正は上記のとおり却下されたので，本願の請求項１に係る発明は，平成１９年７月９日付け手続補正書の請求項１に記載された事項により特定される，上記第２，１に記載のとおりのものである（以下，「本願発明」という。）。
　
２　引用例
　原査定の拒絶の理由に引用された引用例及びその記載事項は，上記第２，２に記載したとおりである。
　
３　対比・判断
　本願発明は，上記第２で検討した本願補正発明において，「画像再構成手段」についての「上記２次元Ｘ線検出手段」に付されていた「前記回転手段により回転する」との限定を省いたものである。
　そうすると，本願発明の構成要件をすべて含み，さらに他の構成要件を付加したものに相当する本願補正発明が，上記第２，４に述べたとおり，引用発明及び引用例２に示された技術的事項に基づいて，当業者が容易に発明をすることができたものであるから，本願発明も同様の理由により，引用発明及び引用例２に示された技術的事項に基づいて，当業者が容易に発明をすることができたものである。
　　
４　むすび
　以上のとおり，本願発明は，引用発明及び引用例２に示された技術的事項に基づいて，当業者が容易に発明をすることができたものであるから，特許法第２９条第２項の規定により特許を受けることができない。
　
　したがって，本件出願は拒絶されるべきものである。
　
　よって，結論のとおり審決する。